(57)【要約】【課題】小型軽量化を図りつつ、簡易な構造で端子の触指防止を図ったコネクタを実現する。【解決手段】弾性変形可能な接点部４１を有する雌端子４を保持する雌端子ハウジング２と、雌端子に接続される雄端子８を保持する雄端子ハウジング６を嵌合させて雌端子と雄端子を電気的に接続させるコネクタにおいて、雄端子は、雌端子に挿入されて接点部と接触する平板部８３と、平板部の略全体を樹脂で被覆してなる被覆部８４を備え、被覆部は、平板部の平面部分を被覆する平面部８４ａを有し、平面部には、雄端子を保持する雄端子ハウジングを雌端子ハウジングと嵌合させた状態で、平板部を雌端子に臨ませて接点部と接触させる開口部８５を形成する。【選択図】  図１
2014078402.tif 000002
【特許請求の範囲】
【請求項１】
弾性変形可能な接点部を有する雌端子を保持する雌端子ハウジングと、前記雌端子に接続される雄端子を保持する雄端子ハウジングを嵌合させて前記雌端子と前記雄端子を電気的に接続させるコネクタであって、
前記雄端子は、前記雌端子に挿入されて前記接点部と接触する平板部と、前記平板部の略全体を樹脂で被覆してなる被覆部を備え、
前記被覆部は、前記平板部の平面部分を被覆する平面部を有し、
前記平面部には、前記雄端子を保持する前記雄端子ハウジングを前記雌端子ハウジングと嵌合させた状態で、前記平板部を前記雌端子に臨ませて前記接点部と接触させる開口部が形成されていることを特徴とするコネクタ。
【請求項２】
前記平面部は、先端から前記開口部までの領域が自己潤滑性樹脂で形成されていることを特徴とする請求項１に記載のコネクタ。
【請求項３】
前記平板部は、前記開口部へ隆起させた隆起部を有することを特徴とする請求項１又は２に記載のコネクタ。
【請求項４】
前記被覆部は、前記平板部の基端側で前記平面部から立設されて前記雄端子を前記雄端子ハウジングに対して位置決めする位置決め部を有することを特徴とする請求項１〜３のいずれかに記載のコネクタ。
【発明の詳細な説明】
【技術分野】
【０００１】
本発明は、雌端子と雄端子とを接続するコネクタの構造に関し、特に、雄端子に対する触指の防止を図ったコネクタ構造に関する。
【背景技術】
【０００２】
雌端子を保持する雌端子ハウジングと、前記雌端子に接続される雄端子を保持する雄端子ハウジングを相互に嵌合させることで、雌端子と雄端子を接続させるコネクタが知られている。例えば、これらの端子は、それぞれ電線に圧着されて各ハウジングへ挿入されて収容されており、双方のハウジングの嵌合時に各端子の接点部を相互に接触させることで電気的に導通される構造となっている。
【０００３】
ところで、高電圧回路で使用されるコネクタにおいては、雌端子ハウジングと雄端子ハウジングの嵌合時及び分離時に作業者が雌端子や雄端子に誤って触れることがないように安全を確保し、感電等の事故の防止を図る必要がある。そこで、かかる安全確保を図るべく、従来から各種の方策が講じられてきた。例えば、特許文献１には、触指及びアーク放電を防止するための絶縁キャップを先端に組み付けた端子（雄端子）を備えたコネクタの構造例が開示されている。また、特許文献２には、先端に絶縁部材をモールドや蒸着させてなる絶縁部を設けた端子（雄端子）を備えたコネクタの構造例が開示されている。これら文献に開示されたコネクタ構造によれば、作業者が雄端子に直接触れることを防止でき、感電等の事故防止を図ることが可能となる。
【先行技術文献】
【特許文献】
【０００４】
【特許文献１】特開２０００−１５００４０号公報
【特許文献２】特開２００１−２６６９８６号公報
【発明の開示】
【発明が解決しようとする課題】
【０００５】
しかしながら、特許文献１に開示されたコネクタ構造のように、端子の先端に絶縁キャップを組み付ける場合、該絶縁キャップの抜け止めを図るための構造が必須となり、その分だけ端子構造の複雑化を招いてしまう。加えて、絶縁キャップ自体が小型となる場合が多く、組付治具等によるセットが難しく、組み付け時の作業性悪化を招き易い。これに対し、特許文献２に開示されたコネクタ構造のように、端子の先端にモールドや蒸着により絶縁部を設けた場合、該絶縁部の脱落防止を図るための構造は特段必要ない。その一方で、このような絶縁部を設けた場合であっても、依然として次のような問題がある。かかるコネクタ構造において、雌端子と雄端子を電気的に導通させる際には、双方の端子ハウジングを完全に嵌合させる位置、つまり接点部同士が接触する位置まで雌端子と雄端子が相対的に摺動する。したがって、端子間の電気的な導通及び切断を切り換える場合、これら端子が抜き挿しされ、端子同士の摺動が繰り返される。このため、例えば、雄端子の表面に施しためっき（錫めっきや銀めっき等）が摺動の繰り返しによって削られ、結果として、端子間の導通性能の低下を招くおそれがある。
【０００６】
本発明はこれを踏まえてなされたものであり、その解決しようとする課題は、小型軽量化を図りつつ、簡易な構造で端子の触指防止を図ったコネクタを実現することにある。
【課題を解決するための手段】
【０００７】
上記課題を解決するため、本発明は、弾性変形可能な接点部を有する雌端子を保持する雌端子ハウジングと、前記雌端子に接続される雄端子を保持する雄端子ハウジングを嵌合させて前記雌端子と前記雄端子を電気的に接続させるコネクタであって、前記雄端子は、前記雌端子に挿入されて前記接点部と接触する平板部と、前記平板部の略全体を樹脂で被覆してなる被覆部を備え、前記被覆部は、前記平板部の平面部分を被覆する平面部を有し、前記平面部には、前記雄端子を保持する前記雄端子ハウジングを前記雌端子ハウジングと嵌合させた状態で、前記平板部を前記雌端子に臨ませて前記接点部と接触させる開口部が形成されていることを特徴とする。
【０００８】
これによれば、雄端子に被覆部を設けて平板部を被覆することで、作業者の雄端子への触指を確実に防止しつつ、開口部を形成することで、該開口部に露出させた平板部（雄端子の接点端子部分）を雌端子の接点部と容易に接触させ、雄端子と雌端子を容易に電気的に接続させることができる。
【０００９】
この場合、前記平面部は、先端から前記開口部までの領域が自己潤滑性樹脂で形成することが好ましい。これにより、平面部の先端部分、つまり雄端子を雌端子へ挿入する際に雌端子の接点部と摺接される部位を自己潤滑性樹脂で形成することができ、雌端子への挿入時に雄端子に作用させる押込力を低減させることができる。
【００１０】
なお、前記平板部は、前記開口部へ隆起させた隆起部を有する構成とすることができる。これにより、雌端子の接点部の弾性変位量を小さくでき、雄端子の雌端子への抜き挿し時に雌端子の接点部が過剰に変位すること、別の捉え方をすれば、雄端子の接点端子部分を過剰に押圧することを防止することができる。
【００１１】
また、前記被覆部は、前記平板部の基端側で前記平面部から立設されて前記雄端子を前記雄端子ハウジングに対して位置決めする位置決め部を有する構成とすることができる。これにより、位置決め部を雄端子ハウジング側の位置決め部（雄側筺体部の壁部）と係合させることで、雄端子を雄端子ハウジングに対して位置決めして保持することができる。
【発明の効果】
【００１２】
本発明によれば、小型軽量化を図りつつ、簡易な構造で端子の触指防止を図ったコネクタを実現することができる。
【図面の簡単な説明】
【００１３】
【図１】本発明の一実施形態に係るコネクタの全体構成を示す断面図である。
【図２】本発明の第１の実施形態に係る雄端子の構成を示す図であって、(ａ)はかかる雄端子の一平面図、(ｂ)は該雄端子の他平面図である。
【図３】本発明の第２の実施形態に係る雄端子の構成を示す図であって、(ａ)はかかる雄端子の一平面図、(ｂ)は該雄端子の他平面図である。
【図４】本発明の第３の実施形態に係る雄端子の構成を示す図であって、(ａ)はかかる雄端子の一平面図、(ｂ)は同図(ａ)の矢印Ａ４部分における縦断面を矢印方向から示す図である。
【発明を実施するための形態】
【００１４】
以下、本発明のコネクタについて、添付図面を参照して説明する。本発明に係るコネクタは、所定の電気回路に接続された電線同士を接続端子によって導通及び切断させるためのインターフェースであり、その用途は特段限定されない。例えば、電動モータを用いて走行する電気自動車やエンジンと電動モータを併用して走行するハイブリッド自動車等の車両に搭載された電源装置によって形成される比較的高圧の電気回路に接続された電線（ワイヤハーネス等）同士を導通及び切断させる場合などを適例として想定できる。
【００１５】
図１は、本発明の一実施形態に係るコネクタの全体構成を示す断面図である。図１に示すように、コネクタは、弾性変形可能な接点部４１を有する雌端子４を保持する雌端子ハウジング２と、雌端子４に接続される雄端子８を保持する雄端子ハウジング６を嵌合させて雌端子４と雄端子８を電気的に接続させる。なお、以下の説明においては、雌端子ハウジング２と雄端子ハウジング６の嵌合方向（図１においては、矢印Ａ１で示す左右方向）を接続方向といい、該接続方向に対して雌端子ハウジング２側（同図においては、右側）を一方側、雄端子ハウジング６側（同図においては、左側）を他方側という。また、雌端子ハウジング２と雄端子ハウジング６の材質は弾性を有していれば特に限定されないが、本実施形態においてはいずれのハウジング２,６も樹脂により構成されている場合を一例として想定する。
【００１６】
雌端子ハウジング２は、雌端子４を保持する略筒状の雌側筺体部２１と、雌側筺体部２１の外周部から突出して他方側へ屈曲して延出する雌側フード部２２と、雌側筺体部２１の一方側の開口２１ａを封止する雌側カバー部２３を備えている。雌側筺体部２１には、外周部の接続方向略中間部位に雄端子ハウジング６及び雌側フード部２２を取り付ける取付部２４が設けられている。この場合、取付部２４は、雌側フード部２２を係止する係止部２４ａを有している。そして、係止部２４ａを雌側フード部２２の被係止部２５に係合させることで、雌側筺体部２１に対して雌側フード部２２が位置決め固定されている。これにより、雌側筺体部２１と雌側フード部２２の間には、略筒状の空隙Ｓが形成される。なお、雌側フード部２２の延出端（図１においては、左端）は、雌側筺体部２１の他方側端部よりも他方側（雄端子ハウジング６側）へ突出した状態となるように、延出寸法が設定されている。換言すれば、雌側筺体部２１に対する取付部２４の配設位置が設定されている。
【００１７】
また、雌端子４は、弾性変形可能な接点部（以下、雌側接点部という。）４１と、雌側接点部４１に電線（同、雌側電線という。）１の芯線１１を接続させる雌側芯線接続部４２と、雌端子４を雌端子ハウジング２に位置決め固定する雌側固定部４３を備えている。雌側接点部４１は、導電材を成形してなり、雌側芯線接続部４２から他方側（端的には、雄端子８側）へ二枚の平板が所定間隔を空けて対向して延出され、接続方向と交差する方向（一例として、図１における上下方向）に対して雌側芯線接続部４２を基点として弾性撓み変形可能に構成されている。なお、本実施形態においては、後述する雄端子８の雄側接点部８１を平板状としているため、雌側接点部４１を二枚の平板構成としているが、例えば、雄側接点部を棒状（ピン状）構成とした場合、雌側接点部は、二枚の略半円筒状の板材を雄側接点部よりも一回り大きな略円筒状をなすように対向して延出させた構成とすることなども想定可能である。
【００１８】
この場合、雌側接点部４１は、他方側の先端に一対の接点端子４１ａ,４１ｂを有しており、これらの接点端子４１ａ,４１ｂは、雄端子８を接続方向と交差する方向の両側（図１においては、上側及び下側）から挟み込んだ状態で該雄端子８と接触可能（換言すれば、雌端子４と雄端子８が電気的に接続可能）に構成されている。すなわち、接点端子４１ａ,４１ｂは、いわゆるバネ接点タイプの端子構成となっている。なお、雌側接点部４１（接点端子４１ａ,４１ｂ）には、その表面にめっき（例えば、錫めっきや銀めっき等）を施しても構わない。
【００１９】
図１には、一対の接点端子のうち、一方（図１においては、上側の接点端子４１ａ）はばね状に巻回した端子構成、他方（同図においては、下側の接点端子４１ｂ）は肉を盛り上げた端子構成とした一例をそれぞれ示している。さらに、本実施形態において、接点端子４１ｂは、雌側接点部４１の平板部位を２か所、接続方向へ並行かつ均等に肉盛りして一組とした端子構成となっている。これらの接点端子４１ａ,４１ｂは、雌側接点部４１の対向間隔を狭めつつ、互いに他方の接点端子との間隔を空けて該接点端子へ向けて突出した突起として構成されている。これにより、雌端子４は、一対の接点端子４１ａ,４１ｂの間の空隙へ雄端子８を挿入可能な構成となる。また、雌端子４は、雌側接点部４１及びその接点端子４１ａ,４１ｂ、雌側芯線接続部４２で囲まれた領域に、前記空隙へ挿入された雄端子８を収容させる雄端子収容部４４を有した構成となっている。すなわち、雌端子ハウジング２と雄端子ハウジング６を嵌合させて組み付けた際、一対の接点端子４１ａ,４１ｂの間の空隙へ雄端子８が挿入されるとともに、該雄端子８が雄端子収容部４４に収容され、雌端子４と雄端子８が電気的に接続される。したがって、一対の接点端子４１ａ,４１ｂの間隔（最小間隔）は、雄端子８（より具体的には、後述する雄側接点部８１の平板部８３の被覆部８４で被覆された平面部分）の肉厚よりも僅かに小寸に設定しておく。また、雄端子収容部４４は、雄端子８（具体的には、後述する雄側接点部８１）の長さ（接続方向に対する寸法）に応じて設定しておく。なお、接点端子の構成は、図１に示す構成には特に限定されず、例えば、図１に示す巻回端子と肉盛端子を上下入れ換えた端子構成や、双方とも巻回端子もしくは肉盛端子とした端子構成とすることも可能である。あるいは、対向間隔を狭めつつ、互いに他方の接点端子との間隔を空けて該接点端子へ向けて突出するように屈曲させた端子構成などであっても構わない。
【００２０】
雌側芯線接続部４２は、芯線１１と接点端子４１ａ,４１ｂを加締め等により圧着接続することで、雌側接点部４１を雌側電線１と接続させている。また、雌側固定部４３は、雌側電線１の一方側の端部外周に装着されたリング部材（一例として、リングパッキン）４３ａで雌側筺体部２１の一方側の端部内周に密着されている。これにより、雌端子４が雌端子ハウジング２に保持され、この状態で、雌側筺体部２１の一方側の開口２１ａが雌側カバー部２３によって封止されている。なお、雌端子４は、雌側カバー部２３による封止前に開口２１ａから雌側筺体部２１へ挿入され、雌側固定部４３がリング部材４３ａで雌側筺体部２１に対して位置決め固定されている。また、雌側電線１は、雌側カバー部２３の導出孔２３ａから雌端子ハウジング２の外部へ露出して所定の電気回路（図示しない）に接続されている。
【００２１】
雄端子ハウジング６は、雄端子８を保持する略筒状の雄側筺体部６１と、雄側筺体部６１の他方側の開口６１ａを封止する雄側カバー部６２を備えている。この場合、雄側筺体部６１は、雌側筺体部２１よりも一回り大きく、雌側フード部２２よりも一回り小さく構成されている。これにより、雄側筺体部６１は、雌側筺体部２１と雌側フード部２２の間に形成された略筒状の空隙Ｓへ、これら雌側筺体部２１及び雌側フード部２２のいずれとも干渉させることなく挿入可能な構成となっている。かかる空隙Ｓへ挿入された際、雄側筺体部６１の一方側の先端部（図１においては、右端部。以下、被嵌合部という。）６１ｂが雌側筺体部２１の固定部２４に形成された嵌合部２４ｂに嵌合されることで、雄端子ハウジング６が雌端子ハウジング２に対して位置決めされた状態で組み付けられる。なお、被嵌合部６１ｂは、雄端子筺体部６１のそれ以外の部位に対して僅かに先細り状に構成されており、空隙Ｓへ挿入された雄端子筺体部６１の被嵌合部６１ｂを雌側筺体部２１の嵌合部２４ｂへ容易に乗り上げさせ、嵌合部２４ｂと嵌合し易いようになっている。また、嵌合部２４ｂは、雌端子ハウジング２と同様の弾性樹脂により形成されており、弾性変形することで被嵌合部６１ｂを乗り上げさせた後、その弾性復元力により被嵌合部６１ｂと密着した状態で嵌合可能な構成となっている。なお、雌端子ハウジング２と雄端子ハウジング６の嵌合構造は特に限定されず、例えば、溝とかかる溝に嵌り込んで該溝に沿って移動可能な条やリブを用いた構造など既存の嵌合構造を任意に選択して適用することが可能である。
【００２２】
また、雄側筺体部６１は、一方側の端部（図１においては、右端部）が雄側筺体部６１に保持された雄端子８の先端部（同図においては、右端部）よりも一方側（雌端子ハウジング２側）へ突出した状態となるように、筒延出寸法が設定されている。換言すれば、かかる突出状態となるように、雄側筺体部６１に対する雄端子８の保持位置が設定されている。したがって、雄端子８は、その先端部が雄側筺体部６１の一方側の端部（端的には、被嵌合部６１ｂ）よりも凹んだ状態で、該雄側筺体部６１の内部へ位置付けられる。これにより、雄端子８を外部へ露出させずに済み、雌端子ハウジング２と雄端子ハウジング６の嵌合時や分離時に作業者が誤って雄端子８へ触れてしまうことを有効に防止することができる。この結果、例えば、雄端子８への触指による感電事故等を抑止することが可能となる。加えて、雄端子８を外部へ露出させることを防止するための保護部材（例えば、雄側筺体部６１を覆うフード部材や壁部材など）を別途設ける必要がないため、その分だけ雄端子ハウジング６を小型軽量化させること（体格を小さくすること）ができる。併せて、雄端子ハウジング６との嵌合時に前記保護部材を避けるような構造が不要となるため、雌端子ハウジング２の小型軽量化を図ることも可能となる。この結果、コネクタの体格を小さくすることができ、例えば、コネクタを車両に搭載する場合、その搭載スペースや雌端子ハウジング２と雄端子ハウジング６の嵌合作業用のスペースを確保することが容易となり、軽量化による耐振動性の向上を図ることも可能となる。
【００２３】
雄側筺体部６１には、内周部の接続方向略中間部位に雄端子８を位置決めする壁部６３が設けられている。壁部６３は、雄側筺体部６１の内周部から内向きに突出されている。その際、壁部６３を雄側筺体部６１の内周部の全周に亘って連続させて設けてもよいし、後述する雄端子８の被覆部８４の位置決め部８４ｂと対応する部位にのみ壁部６３を設けた構成としてもよい。すなわち、雄端子８を所定位置に位置決め固定して雄側筺体部６１（端的には、雄端子ハウジング６）へ保持することが可能であれば、壁部６３は任意の構成とすることが可能である。なお、壁部６３は、雄端子ハウジング６（雄側筺体部６１）と同様の弾性樹脂により構成すればよい。
【００２４】
雄端子８は、雌側接点部４１と接触して電気的に接続される接点部（以下、雄側接点部という。）８１と、雄側接点部８１に電線（同、雄側電線という。）９の芯線９１を接続させる雄側芯線接続部８２を備えている。雄端子８の雄側接点部８１は、雌端子４に挿入されて雌側接点部４１と接触する平板部８３と、平板部８３の略全体を樹脂（一例として、絶縁性を有する樹脂）で被覆してなる被覆部８４を備えている。すなわち、本実施形態において、雄側接点部８１は、導電部分である平板部８３が樹脂部分である被覆部８４と一体成形された構造をなしている。平板部８３は、導電材を成形してなり、雄側芯線接続部８２から一方側（端的には、雌端子４側）へ一枚の平板状に延出されている。この場合、平板部８３は、接続方向と交差する方向の両側（図１においては、上側及び下側）から雌側接点部４１の接点端子４１ａ,４１ｂによって挟み込まれた状態で、雌端子４と接触可能（換言すれば、雄端子８と雌端子４が電気的に接続可能）に構成されている。なお、平板部８３には、その表面にめっき（例えば、錫めっきや銀めっき等）を施しても構わない。また、雄側接点部の構成は、本実施形態のような平板状に限定される訳ではなく、例えば、棒状（ピン状）などとすることも想定可能である。
【００２５】
被覆部８４は、平板部８３の平面部分を被覆する平面部８４ａと、平板部８３の基端側（図１においては、左端側）で平面部８４ａから立設されて雄端子８を雄端子ハウジング６に対して位置決めする位置決め部８４ｂを有している。平面部８４ａは、平板部８３の一平面部分（図１においては、上側平面部分）を被覆するとともに、平板部８３の他平面部分（同図においては、下側平面部分）を被覆している。なお、平面部８４ａは、平板部８３の延出先端部分を被覆する先端部８４ｃ及び該平板部８３の側面部分を被覆する側面部８４ｄとそれぞれ連続されている。すなわち、被覆部８４は、平面部８４ａ、先端部８４ｃ及び側面部８４ｄによって、雄側芯線接続部８２との接続部分近傍以外の平板部８３の表面部分を一体をなして被覆している。このように、平板部８３の表面部分の略全体を被覆部８４によって被覆すること、特に、延長先端近傍を先端部８４ｃ及び平面部８４ａによって被覆することで、作業者が雄端子８の平板部８３（雄側接点部８１）に直接触れることを抑止することができる。本実施形態においては、被覆部８４が平板部８３と一体成形されて雄側接点部８１が構成されているため、被覆部８４の平面部８４ａや先端部８４ｃが平板部８３から脱落して消失してしまうことも回避することができる。さらに、本実施形態においては、雄側筺体部６１の一方側の端部（図１においては、右端部）が雄側筺体部６１に保持された雄端子８の先端部、換言すれば、被覆部８４の先端部８４ｃよりも一方側（雌端子ハウジング２側）へ突出した状態となっているため、作業者の雄端子８への触指をより一層確実に防止することができる。
【００２６】
位置決め部８４ｂは、平板部８３の一平面部分（図１においては、上側平面部分）の基端側で平面部８４ａから平板状に略垂直に立設されるとともに、平板部８３の他平面部分（同図においては、下側平面部分）の基端側で平面部８４ａから平板状に略垂直に立設されている。すなわち、位置決め部８４ｂは、平板部８３の２つの平面部分からそれぞれ逆向きに（別の捉え方をすれば、対称をなして）立設されている。これにより、位置決め部８４ｂを雄側筺体部６１の壁部６３と係合させることで、雄側筺体部６１に対して雄端子８が位置決めされ、雄端子８を雄端子ハウジング６へ保持することができる。その際、雄端子８は、雄側カバー部６２による封止前に開口６１ａから雄側筺体部６１へ挿入され、位置決め部８４ｂが壁部６３と当接される。その状態で所定の押込力を作用させ、さらに雄端子８を雄側筺体部６１へ挿入すると、かかる押込力に抗して位置決め部８４ｂ及び壁部６３が挿入方向（図１においては、右方向）へ弾性撓み変形し、位置決め部８４ｂが壁部６３へ乗り上げる。そして、位置決め部８４ｂが壁部６３を乗り越えた後、前記押込力を解除すると、位置決め部８４ｂ及び壁部６３は挿入方向とは逆方向（図１においては、左方向）へ弾性撓み復帰変形し、互いに係合した状態となる（図１に示す状態）。この結果、雄側筺体部６１（端的には、雄端子ハウジング６）に対して雄端子８を位置決めすることができる。なお、以下の説明においては、図１に示すように雄側筺体部６１（雄端子ハウジング６）に対して雄端子８が位置決めされた状態を雄端子位置決め状態という。
【００２７】
雄側芯線接続部８２は、芯線９１と雄側接点部８１を加締め等により圧着接続することで、雄側接点部８１を雄側電線９と接続させている。また、雄側電線９は、雄端子位置決め状態において、他方側の端部外周に装着されたリング部材（一例として、リングパッキン）９２によって雄側筺体部６１の他方側の端部内周に密着されて位置決め固定されている。この状態で、雄側筺体部６１の他方側の開口６１ａが雄側カバー部６２によって封止されている。なお、雄端子８は、雄側カバー部６２による封止前に開口６１ａから雄側筺体部６１へ挿入され、雄側電線９がリング部材４３ａで位置決め固定された状態（換言すれば、雄端子位置決め状態）で、雄側筺体部６１（端的には、雄端子ハウジング６）に保持される構造となっている。また、雄側電線９は、雄側カバー部６２の導出孔６２ａから雄端子ハウジング６の外部へ露出して所定の電気回路（図示しない）に接続されている。
【００２８】
次に、本発明の特徴構成である雄端子８の構成についてさらに詳しく説明する。図２には、本発明の第１の実施形態に係る雄端子８の構成を示しており、同図(ａ)は、かかる雄端子８の一平面図、同図(ｂ)は、該雄端子８の他平面図である。図１及び図２に示すように、本実施形態において、雄端子８は被覆部８４を備えており、被覆部８４の平面部８４ａには、位置決め部８４ｂで位置決めされた雄端子８を保持する雄端子ハウジング６を雌端子ハウジング２と嵌合させた状態（図１に示す状態）で、雄側接点部８１の平板部８３を雌端子４に臨ませて雌側接点部４１（より具体的には、接点端子４１ａ,４１ｂ）と接触させる開口部８５が形成されている。すなわち、雄端子８は、平板部８３における開口部８５に相当する部位（以下、接点端子部という。）８６が被覆部８４の平面部８４ａによって被覆されることなく、外部へ露出された状態となっている。これにより、雄端子８は、被覆部８４（平面部８４ａ）の開口部８５に臨ませた平板部８３、つまり開口部８５において外部へ露出された接点端子部８６を雌側接点部４１（接点端子４１ａ,４１ｂ）と接触可能（雌端子４と電気的に接続可能）に構成されている。
【００２９】
本実施形態において、雌側接点部４１の接点端子４１ａ,４１ｂは、雄端子８を接続方向と交差する方向の両側（図１においては、上側及び下側）から挟み込んだ状態で雄端子８と接触可能な構成となっているため、開口部８５は、雄端子８の接続方向と交差する方向の両側、つまり平板部８３の一平面部分（図１においては、上側平面部分）及び他平面部分（同図においては、下側平面部分）の両部分を雌端子４（接点端子４１ａ,４１ｂ）に臨ませるように構成されている。これにより、平板部８３の一平面部分に接点端子部８６（以下、接点端子部８６ａともいう。）が形成されるとともに、平板部８３の他平面部分に接点端子部８６（同、接点端子部８６ｂともいう。）が形成される。
【００３０】
図２(ａ)には、平板部８３の一平面部分を雌端子４（接点端子４１ａ）に臨ませる開口部８５（以下、開口部８５ａともいう。）、換言すれば、接点端子部８６ａの構成例を示し、同図(ｂ)には、平板部８３の他平面部分を雌端子４（接点端子４１ｂ）に臨ませる開口部８５（以下、開口部８５ｂともいう。）、換言すれば、接点端子部８６ｂの構成例を示している。図２(ａ)に示すように、平板部８３の一平面側（図１における上側）において、被覆部８４の平面部８４ａは、その中央部近傍が矩形状に欠落した状態となっており、かかる欠落部分が開口部８５ａとして構成されている。この場合、開口部８５ａは、該開口部８５ａに露出させた平板部８３、つまり接点端子部８６ａと接触させる雌側接点部４１のばね状に巻回した接点端子４１ａの構成に対応した矩形状をなしている。これに対し、図２(ｂ)に示すように、平板部８３の他平面側（図１における下側）において、被覆部８４の平面部８４ａは、その中央部近傍が接続方向へ並行かつ均等をなす細長矩形状に２か所欠落した状態となっており、かかる欠落部分が開口部８５ｂとして構成されている。この場合、開口部８５ｂは、該開口部８５ｂに露出させた平板部８３、つまり接点端子部８６ｂと接触させる雌側接点部４１の肉盛りした一組の接点端子４１ｂの構成に対応した細長矩形状をなしている。
【００３１】
なお、開口部８５ａ,８５ｂは、雄端子位置決め状態となっている雄端子８を雌端子４の一対の接点端子４１ａ,４１ｂの間の空隙へ挿入させつつ、雄端子ハウジング６を雌端子ハウジング２へ嵌合させて組み付けた状態（図１に示す状態）において、開口部８５ａ,８５ｂによって露出された接点端子部８６ａ,８６ｂと接点端子４１ａ,４１ｂが相互に接触可能となるように位置付けられている。
【００３２】
また、開口部８５ａ,８５ｂは、いずれも平板部８３の延出先端側（図２においては、右側）の端縁が平面部８４ａから平板部８３（接点端子部８６ａ,８６ｂ）へ向けて徐々に下降するように傾斜した状態となっている。別の捉え方をすれば、被覆部８４には、開口部８５ａ,８５ｂのかかる端縁に平面部８４ａから平板部８３（接点端子部８６ａ,８６ｂ）へ向けて徐々に下降するように傾斜した傾斜部８４ｅが設けられている。このような傾斜部８４ｅを設けることで、雄端子８を一対の接点端子４１ａ,４１ｂの間の空隙へ挿入させた際、これらの接点端子４１ａ,４１ｂを傾斜部８４ｅに沿ってガイドし、開口部８５ａ,８５ｂによって露出された接点端子部８６ａ,８６ｂと容易に接触させることができる。
【００３３】
ここで、雌端子４と雄端子８を電気的に接続させる場合の手順の一例を示す。この場合、雄端子位置決め状態となっている雄端子８を雌端子４の一対の接点端子４１ａ,４１ｂの間の空隙と正対させるとともに、雄端子ハウジング６の雄側筺体部６１の被嵌合部６１ｂを雌端子ハウジング２の雌側筺体部２１と雌側フード部２２の間の空隙Ｓと正対させる。そして、雄端子８（具体的には、被覆部８４の先端部８４ｃ）を雌端子４の一対の接点端子４１ａ,４１ｂと当接させる。この状態で所定の押込力（図１においては、右方向への力）を作用させ、雄端子８を雌端子４の一対の接点端子４１ａ,４１ｂの間の空隙へ挿入する。その際、雄端子８は、かかる押込力に抗して接点端子４１ａ,４１ｂをこれらの対向間隔を広げるように弾性撓み変形させつつ、かかる接点端子４１ａ,４１ｂを被覆部８４の平面部８４ａに当接させながら移動し、雄端子収容部４４へ収容される。そのままかかる押込力を作用させると、接点端子４１ａ,４１ｂが平面部８４ａ上を摺動し、傾斜部８４ｅに沿ってガイドされて開口部８５ａ,８５ｂへ入り込む。開口部８５ａ,８５ｂへ入り込むと、接点端子４１ａ,４１ｂは、これらの対向間隔を狭めるように弾性撓み復帰変形し、接点端子部８６ａ,８６ｂを挟み込んだ状態で、かかる接点端子部８６ａ,８６ｂと接触する。これにより、接点端子部８６ａ,８６ｂを介して接点端子４１ａ,４１ｂと平板部８３との間が導通され、雌端子４と雄端子８を電気的に接続させることができる。
【００３４】
一方、前記押込力を作用させることで、雄側筺体部６１が空隙Ｓへ挿入され、雄側筺体部６１の被嵌合部６１ｂが雌側筺体部２１の嵌合部２４ｂへ当接する。そのままかかる押込力を作用させると、被嵌合部６１ｂが外側へ広がるように弾性撓み変形するとともに、嵌合部２４ｂが内側へ沈むように弾性変形し、被嵌合部６１ｂは嵌合部２４ｂへ乗り上げる。そして、被嵌合部６１ｂが嵌合部２４ｂへ完全に乗り上げると、被嵌合部６１ｂが内側へ狭まるように弾性撓み復帰変形するとともに、嵌合部２４ｂが外側へ膨らむように弾性復帰変形し、被嵌合部６１ｂが嵌合部２４ｂと密着された状態で嵌合される。この嵌合状態は、雌端子４と雄端子８の電気的な接続状態と同期して生ずる。そして、かかる嵌合状態により、雌端子４と雄端子８の電気的な接続状態が維持される。なお、接点端子４１ａ,４１ｂが開口部８５ａ,８５ｂへ入り込み、接点端子部８６ａ,８６ｂと接触した状態においては、雌端子４と雄端子８は相互に静止した状態となり、ほとんど摺動することはない。雌端子４と雄端子８を電気的に切断させる場合には、上述した接続手順と逆の手順を順次行えばよい。
【００３５】
このように、本実施形態によれば、雄端子８に被覆部８４を設けて平板部８３を被覆することで、作業者の雄端子８への触指を確実に防止しつつ、開口部８５を形成することで、該開口部８５に露出させた平板部８３、つまり接点端子部８６ａ,８６ｂを接点端子４１ａ,４１ｂと容易に接触させ、雄端子８と雌端子４を容易に電気的に接続させることができる。
【００３６】
ここで、本発明に係る雄端子８の構成は、上述した第１の実施形態（図２）に特に限定されない。例えば、図３に示す本発明の第２の実施形態や図４に示す本発明の第３の実施形態に係る雄端子の構成とした場合であっても、同様の作用効果を奏することが可能である。以下、これらの第２の実施形態（図３）及び第３の実施形態（図４）について説明する。なお、これらの実施形態においては、コネクタの基本的な構成を上述した第１の実施形態（図１及び図２）と同様としているため、かかる構成と同一もしくは類似の構成については、図面上で同一符号を付してその説明を省略する。したがって、以下では、第２の実施形態（図３）及び第３の実施形態（図４）に特有の雄端子の構成について詳述する。
【００３７】
図３には、第２の実施形態に係る雄端子８ａの構成を示しており、同図(ａ)は、かかる雄端子８ａの一平面図、同図(ｂ)は、該雄端子８ａの他平面図である。図３に示すように、本実施形態において、被覆部８４の平面部８４ａは、先端（図３においては、右端）から開口部８５までの領域が自己潤滑性樹脂で形成されている。すなわち、平面部８４ａは、平板部８３の先端（図３においては、右端）から接点端子部８６までの平面部分を被覆する第１の平面部８４ｆと、平板部８３の残りの平面部分を被覆する第２の平面部８４ｇで構成されている。この場合、第１の平面部８４ｆは、絶縁性を有するとともに自己潤滑性を有する樹脂で形成され、第２の平面部８４ｇは、絶縁性を有する樹脂で形成されている。なお、第１の平面部８４ｆは、絶縁性を有するとともに自己潤滑性に優れた樹脂、例えば、ポリアセタール（ＰＯＭ：polyoxymethylene(ポリオキシメチレン)）などで形成することが好ましい。また、平板部８３の延出先端部分を被覆する被覆部８４の先端部８４ｈは、第１の平面部８４ｆと同様に、絶縁性を有するとともに自己潤滑性を有する樹脂、好ましくは、絶縁性を有するとともに自己潤滑性に優れた樹脂（例えば、ＰＯＭ）で形成されている。そして、被覆部８４の側面部８４ｄは、第２の平面部８４ｇと同様の絶縁性を有する樹脂で形成すればよい。ただし、第１の平面部８４ｆ及び先端部８４ｈと同様に、第２の平面部８４ｇ及び側面部８４ｄも絶縁性を有するとともに自己潤滑性を有する樹脂で形成することは可能である。
【００３８】
このように、被覆部８４における平面部８４ａの先端部分（第１の平面部８４ｆ）及び先端部８４ｈ、つまり雄端子８ａを雌端子４へ挿入する際に接点端子４１ａ,４１ｂと摺接される部位を、自己潤滑性樹脂で形成された第１の平面部８４ｆ及び先端部８４ｈとすることで、雄端子８ａに作用させる前記空隙への押込力を低減させることができる。これにより、雄端子８ａの雌端子４への挿入時における抵抗感（フィーリング）を向上させることができる。また、雄端子８ａの雌端子４への抜き挿し時の負荷、つまり端子同士の摺動負荷を軽減させることができ、これら端子４,８ａの延命化（長寿命化）を図ることができる。例えば、雄端子８ａ（接点端子部８６ａ,８６ｂ）の表面に施しためっき（錫めっきや銀めっき等）が摺動の繰り返しによって削られることを抑制し、端子間の導通性能を低下させ難くすることが可能となる。
【００３９】
図４には、第３の実施形態に係る雄端子８ｂの構成を示しており、同図(ａ)は、かかる雄端子８ｂの一平面図、同図(ｂ)は、同図(ａ)の矢印Ａ４部分における縦断面を矢印方向から示す図である。図４に示すように、本実施形態において、平板部８３ｂは、開口部８５へ隆起させた隆起部８７を有している。なお、平板部８３ｂは、隆起部８７を有することを除き、上述した第１の実施形態に係る平板部８３（図１及び図２）と同様に構成されている。この場合、平板部８３ｂの一平面側（図４(ｂ)における上側）及び他平面側（同図における下側）のいずれにおいても、被覆部８４の平面部８４ａは、その中央部近傍が接続方向へ並行かつ均等をなす細長矩形状に２か所欠落した状態となっており、かかる欠落部分が開口部８５として構成されている。すなわち、本実施形態において、平面部８４ａは、平板部８３ｂの一平面側及び他平面側のいずれもが、図２(ｂ)に示す第１の実施形態に係る平板部８３の他平面側と同様に構成されている。なお、この場合、雌側接点部の一対の接点端子は、いずれも雌側接点部の平板部位を２か所、接続方向へ並行かつ均等に肉盛りして一組とした端子構成（図１に示す接点端子４１ｂと同様の構成）となっており、開口部８５は、該開口部８５に露出された平板部８３ｂ、つまり接点端子部８６と接触させる雌側接点部の肉盛りした一組の接点端子の構成に対応した細長矩形状をなしている。
【００４０】
図４(ｂ)に示すように、隆起部８７は、平板部８３ｂを一平面側（同図における上側）へ屈曲させ、かかる屈曲部分８７ａで開口部８５を埋めるとともに、平板部８３ｂを他平面側（同図における下側）へ屈曲させ、かかる屈曲部分８７ｂで開口部８５を埋める構成となっている。すなわち、本実施形態においては、隆起部８７（平板部８３ｂの屈曲部分８７ａ,８７ｂ）が開口部８５に露出された平板部８３ｂ、つまり接点端子部８６に相当する。なお、この場合、屈曲部分８７ａと屈曲部分８７ｂは、接続方向へ並行して配されるとともに、接続方向と交差する方向（一例として、図４(ａ)における上下方向）に対する位置が重ならないように位置をずらして互い違いに配されている。なお、隆起部８７（屈曲部分８７ａ,８７ｂ）は、例えば、平板状の平板部８３ｂをプレスにより屈曲加工させることで形成してもよいし、平板部８３ｂをインサート加工することで形成しても構わない。
【００４１】
このように隆起部８７を形成することで、平板部８３ｂの一平面側（図４(ｂ)における上側）及び他平面側（同図における下側）のいずれにおいても、被覆部８４の平面部８４ａと隆起部８７（屈曲部分８７ａ,８７ｂ）、つまり平面部８４ａと接点端子部８６を面一とすることができ、これらを平坦状に連続する面として構成することができる。なお、隆起部８７は、平面部８４ａと面一をなすように平板部８３ｂを開口部８５へ隆起させた構成とすればよいが、厳密に平面部８４ａと面一でなくとも、例えば、隆起部８７が平面部８４ａに対して極僅かに突出した構成もしくは窪んだ構成であっても構わない。
【００４２】
これにより、雄端子８ｂの接点端子部８６を雌端子の接点端子と接触させる際、被覆部８４の平面部８４ａ上を摺動する雌端子の接点端子が開口部８５へ入り込むことがない。したがって、雌端子の接点端子の弾性変位量を小さくでき、雄端子８ｂの雌端子への抜き挿し時に雌端子の接点端子が過剰に変位すること、別の捉え方をすれば、雄端子８ｂの接点端子部８６を過剰に押圧することを防止することができる。この結果、これら端子の延命化（長寿命化）を図ることができる。なお、本実施形態においては、開口部８５が隆起部８７（屈曲部分８７ａ,８７ｂ）によって埋められており、雌端子の接点端子が開口部８５へ入り込むことがないため、被覆部８４には、第１の実施形態のような傾斜部８４ｅ（図２）を設けていない。また、雄端子８ｂ（平板部８３ｂ）の表面にめっき（例えば、錫めっきや銀めっき等）を施す際、めっき箇所を雌端子の接点端子との接触部位である隆起部８７（屈曲部分８７ａ,８７ｂ）、つまり接点端子部８６のみに止めることができ、コストの低減を図ることも併せて可能となる。
【００４３】
なお、第３の実施形態において、上述した第２の実施形態のように、平面部８４ａを第１の平面部８４ｆと第２の平面部８４ｇで構成し、第１の平面部８４ｆ及び先端部８４ｃを、絶縁性を有するとともに自己潤滑性を有する樹脂（好ましくは、自己潤滑性に優れた樹脂）で形成した構成とすることも想定可能である。
【００４４】
以上、第１の実施形態（図１及び図２）、第２の実施形態（図３）及び第３の実施形態（図４）によれば、コネクタの小型軽量化を図りつつ、簡易な構造で端子の触指防止を図ることができる。なお、各実施形態において、雌端子ハウジング２及び雄端子ハウジング６がそれぞれ保持する雌端子４及び雄端子８（８ａ,８ｂ）の数は、１つだけでもよいし、複数であっても構わない。
【符号の説明】
【００４５】
２      雌端子ハウジング
４      雌端子
６      雄端子ハウジング
８      雄端子
４１    接点部（雌側接点部）
８３    平板部
８４    被覆部
８４ａ  平面部
８５    開口部
【図１】
2014078402.tif 000003
【図２】
2014078402.tif 000004
【図３】
2014078402.tif 000005
【図４】
2014078402.tif 000006